(57)【要約】      （修正有）【課題】携帯型の情報端末機器に搭載されるユーザ通信システムとして、単純で且つユーザが使用する際ストレスが生じず且つ使い勝手の良いユーザ通信システムを提供する。【解決手段】ユーザ通信システムは、衛星ＧＰＳ５４，５５からの自方の位置情報及び自方のユーザ情報その他の情報を取得し、これ等及び必要に応じて他の情報を他方の端末５０Ｂに送信する自方端末５０Ａと、衛星ＧＰＳからの位置情報及び他方のユーザ情報その他の情報を取得し、これ等及び必要に応じて他の情報を自方端末手段に送信する他方端末手段と、自方端末手段及び他方端末手段は共に情報表示手段６３、画面操作手段６１等を有し、互いに公衆回線６５、必要に応じてＷｉＦｉを介してクラウド機能５３を利用してなる。【選択図】図２
2015050763.tif 000002
【特許請求の範囲】
【請求項１】
衛星ＧＰＳからの自方の位置情報及び自方のユーザ情報その他の情報を取得し、これ等及び必要に応じて他の情報を他方の端末に送信する自方端末手段と、衛星ＧＰＳからの位置情報及び他方のユーザ情報その他の情報を取得し、これ等及び必要に応じて他の情報を前記自方端末手段に送信する他方端末手段と、前記自方端末手段及び他方端末手段は共に情報表示手段、画面操作手段等を有し、互いに公衆回線、必要に応じてＷｉＦｉを介してクラウド機能を利用してなることを特徴とするユーザ通信システム。
【請求項２】
請求項１記載の自方端末手段と他方端末手段は同様なアプリケーション手段を有してなることを特徴とするユーザ通信システム。
【発明の詳細な説明】
【技術分野】
【０００１】本発明は特定の携帯端末を有する他方の呼ばれる側（受け手ユーザ）に対して、特定の携帯端末を有する自方の呼びだし側（送り手ユーザ）が受け手ユーザを特定の目的地に誘導する或いはこの逆も可能な且つ単純操作で短時間で受け手ユーザと送り手ユーザが交信可能なユーザ通信システムに関する。
【背景技術】
【０００２】従来、特定の受け手ユーザを送り手ユーザの意思によって、或いは受け手の意思によっていずれかのユーザを目的地に誘導する場合、メール交信或いは電話交信等の手段は有るが、この交信手段は交信者の個人の能力例えば文章表現力、会話表現力が交信内容に反映されるので的確な短時間の誘導案内は難しいものであった。【０００３】又、他に、特開２００７−２０５８７２号の従来の先行技術文献のように、車両の走行中に携帯端末間で車両の走行に応じて変化する情報について通信を行う情報通信システムが存在し、携帯電話機１０Ａ、１０ＢがそれぞれＧＰＳを利用して現在位置を測位し、この測位した位置情報を携帯電話機１０Ｃに送り、次いで携帯電話機１０Ｃは携帯電話機１０Ａ、１０Ｂの位置情報をカーナビゲーション装置４０に送る。【０００４】当該カーナビゲーション装置４０は携帯電話機１０Ｃからの目的地情報に基づいてルート検索を行うための目的地を設定する。そしてカーナビゲーション装置４０は設定された目的地への予定到着時刻を算出し、この算出した予定到着時刻を携帯電話機１０Ｃを介して携帯電話機１０Ａ，１０Ｂに送信するものである。【０００５】この様な情報通信システムでは端末間（携帯電話機１０Ａ、携帯電話機１０Ｂ）での情報のやり取りに携帯電話機１０Ｃを介在させなければならないうえに、この携帯電話機１０Ｃからさらにカーナビゲーション装置で設定された目的地への予定到着時刻を算出し、これを再び携帯電話機１０Ｃを介して携帯電話機１０Ａ，１０Ｂに送るシステム上の複雑性がある上に、情報取集に時間がかり、システムも大きくなる。【０００６】また、直近では、最近の携帯端末を進化させたものも市場に出現しているが、いずれも操作が複雑で不慣れな人が使用するには不便であり、それは高齢者或いは学童などにおいて顕著である。そこで高齢者、学童等携帯端末に不慣れな人々でも容易に操作ができ、しかもシステム的にも従来技術のような複雑なシステム構成を必要としないユーザ通信システムが求められる。
【先行技術文献】
【特許文献】
【０００７】
【特許文献１】特開２００７−２０５８７２号公報
【発明の概要】
【発明が解決しようとする課題】
【０００８】先行技術文献は、携帯電話機１０Ａ、１０Ｂが通信を行う場合各々ＧＰＳを利用して現在位置を測位し、この測位した位置情報を携帯電話機１０Ｃに送り、この携帯電話機１０Ｃは携帯電話機１０Ａ、１０Ｂの位置情報をカーナビゲーション装置４０に送り、当該カーナビゲーション装置４０で携帯電話機１０Ｃからの目的地情報に基づいてルート検索を行うための目的地を設定し、当該設定された目的地への予定到着時刻を算出し、この算出した予定到着時刻を携帯電話機１０Ｃを介して携帯電話機１０Ａ，１０Ｂに送信するもので、携帯電話１０Ｃはカーナビゲーション装置に位置情報を送くったり、予定到着時刻を携帯電話機１０Ａ，１０Ｂに送くったりする等システムの複雑な働きを担っているが、システムの単純化としての観点から好ましいものでなく、特に携帯型の情報端末機器は搭載される情報通信システムが単純であることが望ましい。【０００９】そこで、本発明は、上記のような課題を解決するためになされたもので、携帯型の情報端末機器に搭載される本発明のユーザ通信システムは単純で且つユーザが使用する際ストレスが生じず且つ使い勝手の良く、学童、高齢者区別なく易しく利用できる馴染み安いユーザ通信システムを提供することを目的とする。
【課題を解決するための手段】
【００１０】  本発明は衛星ＧＰＳからの自方の位置情報及び自方のユーザ情報その他の情報を取得し、これ等及び必要に応じて他の情報を他方の端末に送信する自方端末手段と、衛星ＧＰＳからの位置情報及び他方のユーザ情報その他の情報を取得し、これ等及び必要に応じて他の情報を前記自方端末手段に送信する他方端末手段と、前記自方端末手段及び他方端末手段は共に情報表示手段、画面操作手段等を有し、互いに公衆回線、必要に応じてＷｉＦｉを介してクラウド機能を利用してなり複雑なやり取りをしなくとも求めるユーザを目的の場所に誘導できるユーザ通信システムである。
【発明の効果】
【００１１】この発明は、上記のような課題を解決するためになされたもので、携帯型の情報端末機器に搭載される本発明のユーザ通信システムはシステム自体が単純で且つユーザが使用する際ストレスが生じずしかも使い勝手が良く、学童、高齢者区別なく易しく利用できる馴染み安いユーザ通信システムを提供することができる。
【図面の簡単な説明】
【００１２】
【図１】この発明の一実施の形態に係わるＧＰＳ系の説明構成図。
【図２】この発明の一実施の形態に係わる構成図。
【図３】この発明の一実施の形態に係わり、相手を自分の場所に誘導する場合の呼び出し側の処理フロー図。
【図４】この発明の一実施の形態に係わり、相手を自分の場所に誘導する場合の相手側の処理フロー図。
【図５】この発明の一実施の形態に係わり、相手を探し出して迎えに行く側の処理フロー図。
【図６】この発明の一実施の形態に係わり、相手を探し出して迎えに行く場合の相手側の処理フロー図。
【発明を実施するための形態】
【００１３】以下、この発明の一実施の形態を、図１〜図６を用いて説明する。
図１はＧＰＳシステムと本発明の一実施の形態との関係を示したもので、通常のＧＰＳシステム体系に本発明の一実施の形態のユーザ誘導通信システムの自方である呼び出し側の携帯端末５０Ａ他方である呼ばれる側の携帯端末５０Ｂを配した全体的な系を示した説明構成図である。
【００１４】前記呼び出し側の携帯端末５０Ａと前記呼ばれる側の携帯端末５０Ｂとは共通のアプリケーション５１を搭載（インストール）していて、この共通アプリケーション５１を機能させて前記呼び出し側の携帯端末５０Ａと呼ばれる側の携帯端末５０Ｂとは基地局５２Ａ、５２Ｂを介してクラウド５３を利用して交信する。５４、５５はＧＰＳ機能を行う衛星ＧＰＳで、５０及び５６は管理サーバ及びユーザ情報である。
【００１５】そこで、先ず、前述したように共通アプリケーション５１が呼び出し側の携帯端末５０Ａと呼ばれる側の携帯端末５０Ｂにインストールしてあるので呼び出し側携帯端末５０Ａ及び呼ばれる側携帯端末５０Ｂによってそれぞれ互いを認識するために前記管理サーバ５０に対してユーザ情報５６を登録する。
【００１６】そして、呼び出し側の携帯端末５０Ａから呼ばれる側の携帯端末５０Ｂを呼びだす場合、呼び出し側の携帯端末５０Ａから基地局５２Ａを介して、クラウド５３上の管理サーバ５０にあるユーザ情報５６を基に、呼ばれる側の携帯端末５０Ｂを特定し、基地局５２Ｂを介して呼ばれる側の携帯端末５０Ｂを呼びだす。
【００１７】前記呼び出し後、ナビゲーションを行う場合、呼び出し側の携帯端末５０Ａの現在位置を衛星ＧＰＳ５４から、また呼ばれる側の携帯端末５０Ｂの現在位置を衛星ＧＰＳ５５から夫々取得し、互いの情報を基地局５２Ａ及び基地局５２Ｂ及びクラウド５３を介して交換し、夫々の場所を把握する。この際、共通アプリケーション５１は取得した位置情報を基に地図を表示させナビゲーションを実現する。
【００１８】図２は上述した夫々の位置情報を取得する場合即ち前記共通アプリケーション５１の呼び出し側の携帯端末５０Ａと呼ばれる側の携帯端末５０Ｂの機能ブロックを示したもので、両者は同様のシステムとなっているのが解る。前記衛星ＧＰＳ５４からの信号は呼び出し側の携帯端末５０ＡのＧＰＳ処理部５７でＧＰＳ処理し、これを位置情報取得部５８で呼び出し側の携帯端末５０Ａの位置情報を取得する。
【００１９】前記位置情報取得部５８はアプリケーション制御部５９に接続されていて、アプリケーション処理される。該アプリケーション制御部５９にはキー操作部６０、画面操作部６１、ＱＲコード作成部６２、地図表示部６３が出入力していて、キー操作部６０からはキー操作信号が、画面操作部６１からは画面操作信号が夫々入力される。又アプリケーション制御部５９からはＱＲコード作成部６２にＱＲコード作成の為の信号が、地図表示部６３へは地図表示に供する信号が夫々出力される。
【００２０】更に、前記アプリケーション制御部５９からはアプリケーションデータ自分情報部（位置情報）６４を受取、これを公衆回線或いはＷｉＦｉ部６５に供給するようになっている。前記公衆回線或いはＷｉＦｉ部６５からは呼ばれる側（相手情報）情報がアプリケーション相手情報部（位置情報）６６に入力され、該アプリケーションデータ相手（位置情報）部６６からはアプリケーション制御部５９に入力される。
【００２１】次に呼び出し側の携帯端末５０Ａには後記する呼ばれる側の携帯端末５０Ｂのユーザ情報部７０のＱＲコード部（マトリックス型二次元コード）７１及びＮＦＣ部（近距離通信）７２の出力信号が供給されるカメラ部６７及びＮＦＣ部６８が設けられていてそれらの出力はアプリケーション制御部５９に入力される構成にしてある。
【００２２】次に呼ばれる側の携帯端末５０Ｂへは衛星ＧＰＳ５５の信号が入力し、ＧＰＳ処理部７３を介して、位置情報取得部７４に供給され、呼ばれる側の携帯端末５０Ｂの位置情報が把握される。位置情報取得部７４の出力はアプリケーション制御部７５へ入力されるとともに該アプリケーション制御部７５には画面操作部７６の信号が入力される。
【００２３】アプリケーション制御部７５には更にナビゲーション画面表示部７７が接続されていて画面表示ができるようにしてある。又、アプリケーション制御部７５は自分位置情報部７８を経由して自分位置情報を公衆回線又はＷｉＦｉ部７９に送る様にし、他方この公衆回線又はＷｉＦｉ部７９には相手位置情報部８０が接続され、公衆回線又はＷｉＦｉ部７９からの相手位置情報をアプリケーション制御部７５に送るようにしてある。
【００２４】５３は前記したがクラウドで、これには公衆回線又はＷｉＦｉ部７９及び公衆回線又はＷｉＦｉ部６５との信号のやり取りができるようになっている。このように呼び出し側の携帯端末（送信側或いは自分側）５０Ａと呼ばれる側の携帯端末（受信側或いは相手側）５０Ｂに同じようなアプリケーションを搭載することで容易な操作で交信ができ、これは複数の携帯端末間でも実施可能で、呼び出し側の携帯端末５０Ａと呼ばれる側の携帯端末５０Ｂといった関係にとどまらないものである。
【００２５】ここで呼び出し側の携帯端末５０Ａに呼ばれる側の携帯端末５０Ｂのユーザ情報を登録する場合、呼び出し側の携帯端末５０Ａのユーザは呼ばれる側の携帯端末５０ＢのユーザからユーザＩＤの開示を受ける。基地局５２Ａを介して管理サーバ５０にあるユーザ情報５６の中から開示されたユーザＩＤに対応したユーザ情報を取得し登録する。呼ばれる側の携帯端末５０Ｂはユーザ情報をＱＲコードに変換し、呼ばれる側の携帯端末５０Ｂに表示ができる。
【００２６】次に、図３に於いては、相手を自分の場所に誘導する場合の呼び出し側の処理フローについて、図４に於いては、相手を自分の場所に誘導する場合の相手側の処理フローについて、図５に於いては、相手を探し出して迎えに行く場合の迎えに行く側の処理フローについて、図６に於いては、相手を探し出して迎えに行く場合の相手側の処理フローについて各々説明する。
【００２７】図３の呼び出しフローＡ（呼び出し側の携帯端末５０Ａから呼ばれる側の携帯端末５０Ｂの呼び出し）について、
１、図２のアプリケーションデータ相手情報部６６から呼びだす相手を選択する。
２、次いで図２の画面操作部６１のタップ情報から呼び出しコメントを入力する。
３、図２の画面操作部６１のタップ情報が呼び出しボタンの場合は衛星ＧＰＳ５４→ＧＰＳ処理部５７→位置情報取得部５８の経路で自分の位置を取得するとともに前記画面操作部６１で入力された呼び出しコメントと共に前記アプリケーションデータ自分情報部６４→公衆回線又はＷｉＦｉ部６５→クラウド５３→公衆回線又はＷｉＦｉ部７９→相手位置情報部８０→アプリケーション制御部７５を経て呼び出し通知を行う。
４、承認返答をアプリケーションデータ相手情報部６６経由で受信すると地図表示部６３に現在位置を表示する。
【００２８】次に図３の呼び出しフローＢ（呼び出し側の携帯端末５０Ａから呼ばれる側の携帯端末５０Ｂの呼び出し）について、
１、図２のアプリケーションデータ相手情報部６６から呼び出す相手を選択する。
２、次いで図２の画面操作部６１のタップ情報が呼び出しボタンの場合は衛星ＧＰＳ５４→ＧＰＳ処理部５７→位置情報取得部５８の経路で自分の位置を取得し、固定の呼び出しコメントと共に前記アプリケーションデータ自分情報部６４→公衆回線又はＷｉＦｉ部６５→クラウド５３→公衆回線又はＷｉＦｉ部７９→相手位置情報部８０→アプリケーション制御部７５を経て呼び出し通知を行う。
３、承認返答をアプリケーションデータ相手情報部６６経由で受信すると地図表示部６３に現在位置を表示する。
【００２９】次に図３の呼び出しフローＣ（呼び出し側の携帯端末５０Ａから呼ばれる側の携帯端末５０Ｂの呼び出し）について、
１、図２の画面操作部６１のタップ情報が呼び出しボタンの場合は衛星ＧＰＳ５４→ＧＰＳ処理部５７→位置情報取得部５８の経路で自分の位置を取得し、固定の相手に向けて固定の呼び出しコメントと共に前記アプリケーションデータ自分情報部６４→公衆回線又はＷｉＦｉ部６５→クラウド５３→公衆回線又はＷｉＦｉ部７９→相手位置情報部８０→アプリケーション制御部７５を経て呼び出し通知を行う。
２、承認返答をアプリケーションデータ相手情報部６６経由で受信すると地図表示部６３に現在位置を表示する。
【００３０】次に図４の呼び出し応答フローＡ（呼び出し側の携帯端末５０Ａから呼ばれる側の携帯端末５０Ｂの呼び出しに対する呼ばれる側の携帯端末５０Ｂから呼び出し側の携帯端末５０Ａへの応答）について、
１、図２の相手位置情報部８０経由で呼び出し相手の位置情報と共に呼び出し通知を受信する。
２、図２の画面操作部７６のタップ操作で「承認」又は「拒否」を選択する。「拒否」ボタンの場合はアプリケーションは終了する。
他方、承認の場合は衛星ＧＰＳ５５→ＧＰＳ処理部７３→位置情報部７４の経路で自分の位置を取得し、前記公衆回線又はＷｉＦｉ部７９→クラウド５３→公衆回線又はＷｉＦｉ部６５→アプリケーションデータ相手情報部６６→アプリケーション制御部５９の経路で承認返答を行う。
３、ナビゲーション画面表示部７７にこのときのナビゲーション画面を表示する。
【００３１】次に図４の呼び出し応答フローＢ（呼び出し側の携帯端末５０Ａから呼ばれる側の携帯端末５０Ｂの呼び出しに対する呼ばれる側の携帯端末５０Ｂから呼び出し側の携帯端末５０Ａへの応答）について、
１、図２の相手位置情報部８０経由で呼び出し相手の位置情報と共に呼び出し通知を受信する。
２、図２の画面操作部７６のタップ操作で「承認」ボタンが押された場合、衛星ＧＰＳ５５→ＧＰＳ処理部７３→位置情報取得部７４の経路で自分の位置を取得し、公衆回線ＷｉＦｉ部７９→クラウド５３→公衆回線或いはＷｉＦｉ部６５→アプリケーションデータ相手情報部６６→アプリケーション制御部５９で承認返答をおこなう。
３、ナビゲーション画面表示部７７にこのときのナビゲーション画面を表示する。
【００３２】次に図４の呼び出し応答フローＣ（呼び出し側の携帯端末５０Ａから呼ばれる側の携帯端末５０Ｂの呼び出しに対する呼ばれる側の携帯端末５０Ｂから呼び出し側の携帯端末５０Ａへの応答）について、
１、図２の相手位置情報部８０経由で呼び出し相手の位置情報と共に呼び出し通知を受信する。
２、自動的に衛星ＧＰＳ５５→ＧＰＳ処理部７３→位置情報取得部７４の経路で自分の位置を取得し、公衆回線ＷｉＦｉ部７９→クラウド５３→公衆回線或いはＷｉＦｉ部６５→アプリケーションデータ相手情報部６６→アプリケーション制御部５９で承認返答をおこなう。
３、ナビゲーション画面表示部７７にこのときのナビゲーション画面を表示する。
【００３３】次に図５の迎えに行くフローＡ（呼び出し側の携帯端末５０Ａから呼ばれる側の携帯端末５０Ｂを迎えに行く）について、
１、図２のアプリケーションデータ相手情報部６６の迎えに行く相手のユーザ情報から迎えに行く相手を選択する。
２、図２の画面操作部６１のタップ情報から迎えに行くコメントを入力する。
３、図２の画面操作部６１のタップ情報が「行く」ボタンの場合、衛星ＧＰＳ５４→ＧＰＳ処理部５７→位置情報取得部５８の経路で自分の位置を取得し、画面操作部６１で入力された迎えに行くコメントと共にアプリケーションデータ自分情報部６４→公衆回線又はＷｉＦｉ部６５→クラウド５３→公衆回線又はＷｉＦｉ部７９→相手位置情報部８０→アプリケーション制御部７５の経路の順で迎えに行く通知を行う。
４、次いで承認返答をアプリケーションデータ相手情報部６６経由で受信すると地図表示部６３でナビゲーション表示を開始する。
【００３４】次に図５の迎えに行くフローＢ（呼び出し側の携帯端末５０Ａから呼ばれる側の携帯端末５０Ｂを迎えに行く）について、
１、図２のアプリケーションデータ相手情報部６６の迎えに行く相手のユーザ情報から迎えに行く相手を選択する。
２、図２の画面操作部６１のタップ情報が「行く」ボタンの場合、衛星ＧＰＳ５４→ＧＰＳ処理部５７→位置情報取得部５８の経路で自分の位置を取得し、固定の迎えに行くコメントと共にアプリケーションデータ自分情報部６４→公衆回線又はＷｉＦｉ部６５→クラウド５３→公衆回線ＷｉＦｉ部７９→相手位置情報部８０→アプリケーション制御部７５の順で迎えに行く通知を行う。
３、次いで承認返答をアプリケーションデータ相手情報部６６経由で受信すると地図表示部６３でナビゲーション表示を開始する。
【００３５】次に図５の迎えに行くフローＣ（呼び出し側の携帯端末５０Ａから呼ばれる側の携帯端末５０Ｂを迎えに行く）について、
１、図２の画面操作部６１のタップ情報が「行く」ボタンの場合、衛星ＧＰＳ５４→ＧＰＳ処理部５７→位置情報取得部５８の経路で自分の位置を取得し、固定の相手に向けて、固定の迎えに行くコメントと共にアプリケーションデータ自分情報部６４→公衆回線又はＷｉＦｉ部６５→クラウド５３→公衆回線ＷｉＦｉ部７９→相手位置情報部８０→アプリケーション制御部７５の順で迎えに行く通知を行う。
２、次いで承認返答をアプリケーションデータ相手情報部６６経由で受信すると地図表示部６３でナビゲーション表示を開始する。
【００３６】次に図６の迎え応答フローＡ（呼び出し側の携帯端末５０Ａから呼ばれる側の携帯端末５０Ｂを迎えに行く通知に対する呼ばれる側の携帯端末５０Ｂから呼び出し側の携帯端末５０Ａの応答）について、
１、図２の相手位置情報部８０経由で、迎えに来る相手の位置情報と共に迎えに行く通知を受信する。
２、図２の画面操作部７６のタップ操作で「承認」或いは「拒否」を選択する。その際「拒否」ボタンの場合はアプリケーションは終了する。反対に「承認」ボタンの場合は衛星ＧＰＳ５５→ＧＰＳ処理部７３→位置情報取得部７４の経路で自分の位置を取得し、公衆回線又はＷｉＦｉ部７９→クラウド５３→公衆回線又はＷｉＦｉ部６５→アプリケーションデータ相手情報部６６→アプリケーション制御部５９の経路で承認返答を行う。
３、その後ナビゲーション画面表示部７７に相手の現在位置を表示する。
【００３７】次に図６の迎え応答フローＢ（呼び出し側の携帯端末５０Ａから呼ばれる側携帯端末５０Ｂを迎えに行く通知に対する呼ばれる側携帯端末５０Ｂから呼び出し側携帯端末５０Ａへの応答）について、
１、図２の相手位置情報部８０経由で、迎えに来る相手の位置情報と共に迎えに行く通知を受信する。
２、図２の画面操作部７６のタップ操作で「承認」ボタンが押された場合は、衛星ＧＰＳ５５→ＧＰＳ処理部７３→位置情報部７４の経路で自分の位置を取得し、公衆回線部７９→クラウド５３→公衆回線又はＷｉＦｉ部６５→アプリケーションデータ相手情報部６６→アプリケーション制御部５９の経路で承認返答を行う。
３、その後ナビゲーション画面表示部７７に相手の現在位置を表示する。
【００３８】次に図６の迎え応答フローＣ（呼び出し側携帯端末５０Ａから呼ばれる側携帯端末５０Ｂを迎えに行く通知に対する呼ばれる側携帯端末５０Ｂから呼び出し側携帯端末５０Ａへの応答）について、
１、図２の相手位置情報部８０経由で、迎えに来る相手の位置情報と共に迎えに行く通知を受信する。
２、自動的に衛星ＧＰＳ５５→ＧＰＳ処理部７３→位置情報取得部７４の経路で自分の位置を取得し、公衆回線ＷｉＦｉ部７９→クラウド５３→公衆回線又はＷｉＦｉ部６５→アプリケーションデータ相手情報部６６→アプリケーション制御部５９の経路で承認返答を行う。
３、その後ナビゲーション画面表示部７７に相手の現在位置を表示する。
【００３９】この様に図２をベースに図３から図６の各フローを説明したが、各フローのＡ、Ｂ、Ｃの順序で簡易な操作で有ることがわかる、特にＣのフローではより少ない操作で済み、場合によって操作しなくともよい、といった簡便な操作のメリットがある。こういった操作の簡便性は学童、高齢者、操作に不器用な人等に利便性が高く、又自方、他方の位置を地図上で把握できるので迷子、不明者探索等に有効である。
【産業上の利用可能性】
【００４０】  以上のようにこの発明は衛星ＧＰＳからの自方の位置情報及び自方のユーザ情報その他の情報を取得し、これ等及び必要に応じて他の情報を他方の端末に送信する自方端末手段と、衛星ＧＰＳからの位置情報及び他方のユーザ情報その他の情報を取得し、これ等及び必要に応じて他の情報を前記自方端末手段に送信する他方端末手段と、前記自方端末手段及び他方端末手段は共に情報表示手段、画面操作手段等を有し、互いに公衆回線、必要に応じてＷｉＦｉを介してクラウド機能を利用してなることを特徴とし、しかも、端末手段で呼ばれる側の端末手段及び呼ぶ側の端末手段には同様のアプリケーションを搭載してなることからなり、複雑なやり取りをしなくとも求めるユーザを自分の或いは求めるユーザの目的の場所に地図を表現して誘導でき、しかもその操作は簡便で有るから実際に利用に供して便利である。
【符号の説明】
【００４１】５０              管理サーバ
５０Ａ            呼び出し側の携帯端末（自方）
５０Ｂ            呼ばれる側の携帯端末（他方）
５１              共通アプリケーション
５２Ａ、５２Ｂ    基地局
５３              クラウド
５４、    ５５    衛星ＧＰＳ
５６              ユーザ情報
５７              ＧＰＳ処理部
５８              位置情報取得部
５９              アプリケーション制御部
６０              キー操作部
６１              画面操作部
６２              ＱＲコード作成部
６３              地図表示部
６４              アプリケーションデータ自分情報部
６５              公衆回線又はＷｉＦｉ部
６６              アプリケーションデータ相手情報部
６７              カメラ部
６８              ＮＦＣ部
７０              ユーザ情報部
７１              ＱＲコード部
７２              ＮＦＣ部
７３              ＧＰＳ処理部
７４              位置情報取得部
７５              アプリケーション制御部
７６              画面操作部
７７              ナビゲーション画面表示部
７８              自分位置情報部
７９              公衆回線又はＷｉＦｉ部
８０              相手位置情報部
【図１】
2015050763.tif 000003
【図２】
2015050763.tif 000004
【図３】
2015050763.tif 000005
【図４】
2015050763.tif 000006
【図５】
2015050763.tif 000007
【図６】
2015050763.tif 000008